(57)【特許請求の範囲】
【請求項１】
ドライブモードを備える携帯電話装置において、
前記ドライブモードを選択して前記ドライブモードに設定する手段と、
前記ドライブモードに設定された場合、前記ドライブモードの終了時間を設定する手段と、
前記ドライブモード設定の情報と前記終了時間の情報とをサービスセンタに送信する手段と、
前記終了時間の所定時間前に前記終了時間が間近であることをアラームで通知する手段と、
前記ドライブモードに設定された場合、前記ドライブモードの終了時間を再設定する手段と、
前記再設定された終了時間の情報をサービスセンタに再送信する手段と、
を備えることを特徴とする携帯電話装置。
【請求項２】
請求項１に記載の携帯電話装置において、
前記ドライブモードに設定されている場合に着信があった場合、発信相手に音声で現在ドライブモードであること及び前記ドライブモードの前記終了時間とを知らせる手段と、
前記ドライブモードの終了時間を再設定する手段において、前記ドライブモードを設定する手段を繰り返し行うことにより、一回当り所定時間単位で前記終了時間を延長する手段と、
前記延長する手段により、前記ドライブモードの終了時間が再設定された場合、前記ドライブモードに設定されている場合に着信した発信相手に対し、音声で現在ドライブモードであること及び前記ドライブモードの前記終了時間とを再設定の度に知らせる手段と、
を更に備えることを特徴とする携帯電話装置。
【請求項３】
ドライブモードを備える携帯電話装置におけるドライブモード設定方法において、
前記ドライブモードを選択して前記ドライブモードに設定するステップと、
前記ドライブモードに設定された場合、前記ドライブモードの終了時間を設定するステップと、
前記ドライブモード設定の情報と前記終了時間の情報とをサービスセンタに送信するステップと、
前記終了時間の所定時間前に前記終了時間が間近であることをアラームで通知するステップと、
前記ドライブモードに設定された場合、前記ドライブモードの終了時間を再設定するステップと、
前記再設定された終了時間情報をサービスセンタに再送信するステップと、
を有することを特徴とするドライブモード設定方法。
【請求項４】
請求項３に記載のドライブモード設定方法において、
前記ドライブモードを選択して前記ドライブモードに設定するステップと、
前記ドライブモードに設定された場合、前記ドライブモードの終了時間を設定するステップと、
前記ドライブモード設定情報と前記終了時間情報とをサービスセンタに送信するステップと、
前記終了時間の所定時間前に前記終了時間が間近であることをアラームで通知するステップと、
前記ドライブモードに設定された場合、前記ドライブモードの終了時間を再設定するステップと、
前記再設定された終了時間情報をサービスセンタに再送信するステップと、
を更に有することを特徴とするドライブモード設定方法。
【請求項５】
ドライブモードを備える携帯電話装置におけるドライブモード設定方法であって、
前記ドライブモードを選択して前記ドライブモードに設定するステップと、
前記ドライブモードに設定された場合、前記ドライブモードの終了時間を設定するステップと、
前記ドライブモード設定の情報と前記終了時間の情報とをサービスセンタに送信するステップと、
前記終了時間の所定時間前に前記終了時間が間近であることをアラームで通知するステップと、
前記ドライブモードに設定された場合、前記ドライブモードの終了時間を再設定するステップと、
前記再設定された終了時間情報をサービスセンタに再送信するステップと、
を有することを特徴とするドライブモード設定方法をコンピュータに実行させるプログラム。
【請求項６】
請求項５に記載のプログラムにおいて、
前記ドライブモード設定方法が、
前記ドライブモードを選択して前記ドライブモードに設定するステップと、
前記ドライブモードに設定された場合、前記ドライブモードの終了時間を設定するステップと、
前記ドライブモード設定情報と前記終了時間情報とをサービスセンタに送信するステップと、
前記終了時間の所定時間前に前記終了時間が間近であることをアラームで通知するステップと、
前記ドライブモードに設定された場合、前記ドライブモードの終了時間を再設定するステップと、
前記再設定された終了時間情報をサービスセンタに再送信するステップと、
を更に有することを特徴とするプログラム。
【発明の詳細な説明】
【０００１】
【発明の属する技術分野】
本発明は、ドライブモードを備える携帯端末及び携帯電話装置に関する。ドライブモードとは、電話の呼出しを受けた者が運転中であり、電話を受けることができないことを電話をかけた者に知らせるモードのことである。
【０００２】
【従来の技術】
特開２０００−０３２５６３号公報では、携帯電話におけるドライブモード等のモードを設定したユーザが、設定モードの解除忘れ防止の為に、解除時間の設定ができ、解除時間時に自動的にモードの解除を行う電話機について述べられている。
【０００３】
特開２０００−１８８７８１号公報では、携帯電話におけるマナーモードの設定と解除を基地局からのＩＤ情報により、自動的に行いマナーモード設定中は、応答できない旨のメッセージを、自動送信する携帯電話機について述べられている。
【０００４】
特開２０００−２０９３１０号公報では、マナーモードに設定された携帯電話において、モード終了タイマーを備え、着信時に応答できないときは、モード終了までの時間を含む音声通知機能を、行う携帯電話機について述べられている。
【０００５】
【発明が解決しようとする課題】
これらの従来技術においては、着信時に応答できないモードに設定されている場合、再度電話する日時について着信時にしか通知できないという第１の問題点があった。
【０００６】
また、モード変更予定の日時が変更になった場合に、その旨をモード設定中に着信のあった相手に通知できないという第２の問題点があった。
【０００７】
本発明は、これらの問題点に鑑み行われたものであり、モード変更予定の時間が変更になった場合に、その旨をモード設定中に着信のあった相手に通知できる携帯電話を提供することを目的とする。
【０００８】
【課題を解決するための手段】
本発明の第１の観点によれば、ドライブモードを備える携帯電話装置において、前記ドライブモードを選択して前記ドライブモードに設定する手段と、前記ドライブモードに設定された場合、前記ドライブモードの終了時間を設定する手段と、前記ドライブモード設定情報と前記終了時間情報とをサービスセンタに送信する手段と、前記終了時間の所定時間前に前記終了時間が間近であることをアラームで通知する手段と、前記ドライブモードに設定された場合、前記ドライブモードの終了時間を再設定する手段と、前記再設定された終了時間情報をサービスセンタに再送信する手段と、を備えることを特徴とする携帯電話装置が提供される。
【０００９】
上記携帯電話装置は、前記ドライブモードに設定されている場合に着信があった場合、発信相手に自動的に音声で現在ドライブモードであること及び前記ドライブモードの前記終了時間とを知らせる手段と、前記ドライブモードの終了時間を再設定する手段において、前記ドライブモードを設定する手段を繰り返し行うことにより、一回当り所定時間単位で前記終了時間を延長する手段と、前記延長する手段により、前記ドライブモードの終了時間が再設定された場合、前記ドライブモードに設定されている場合に着信した発信相手に対し、自動的に音声で現在ドライブモードであること及び前記ドライブモードの前記終了時間とを再設定の度に知らせる手段と、を更に備えていてもよい。
【００１０】
本発明の第２の観点によれば、ドライブモードを備える携帯電話装置におけるドライブモード設定方法において、前記ドライブモードを選択して前記ドライブモードに設定するステップと、前記ドライブモードに設定された場合、前記ドライブモードの終了時間を設定するステップと、前記ドライブモード設定情報と前記終了時間情報とをサービスセンタに送信するステップと、前記終了時間の所定時間前に前記終了時間が間近であることをアラームで通知するステップと、前記ドライブモードに設定された場合、前記ドライブモードの終了時間を再設定するステップと、前記再設定された終了時間情報をサービスセンタに再送信するステップと、を有することを特徴とするドライブモード設定方法が提供される。
【００１１】
本発明の第３の観点によれば、ドライブモードを備える携帯電話装置におけるドライブモード設定方法において、前記ドライブモードを選択して前記ドライブモードに設定するステップと、前記ドライブモードに設定された場合、前記ドライブモードの終了時間を設定するステップと、前記ドライブモード設定情報と前記終了時間情報とをサービスセンタに送信するステップと、前記終了時間の所定時間前に前記終了時間が間近であることをアラームで通知するステップと、前記ドライブモードに設定された場合、前記ドライブモードの終了時間を再設定するステップと、前記再設定された終了時間情報をサービスセンタに再送信するステップと、を有することを特徴とするドライブモード設定方法をコンピュータに実行させるプログラムが提供される。
【００１２】
【発明の実施の形態】
本発明での第１の実施の形態を図１に示した携帯電話機のブロック図を用いて説明する。
【００１３】
携帯電話機の構成としては無線回路１１、チャネルコーデック１２、制御回路部１４、音声回路部１３、メモリ回路１５、表示回路１６、キーマトリックス１７、マイク１８、レシーバ１９、スピーカ２０で構成されている。この携帯電話機は、図示しない基地局、無線制御局を介して交換網に接続する。
【００１４】
本発明は、ドライブモードを使用する。ドライブモードは、携帯電話機の使用者が運転中に着呼に対して応答できないことを、発呼者側に知らせるためのモードであり、交換網に接続するサービスセンタがそのモードの動作に関与する。発呼側の電話機は、ドライブモードに設定された携帯電話機への発呼時に交換網を経由してサービスセンタに接続されることになる。なお、図１の携帯電話機において、通常、ドライブモードを設定するキーはキーマトリックス１７の中に存在し、長く押すことによりドライブモードを設定する。
【００１５】
したがって、キーマトリックス１７は、ドライブモードを選択して前記ドライブモードに設定する手段として機能する。ドライブモードは制御回路部１４の制御に基づいて実行される。キーマトリックス１７は、またドライブモードに設定された場合、ドライブモードの終了時間を設定する手段として機能する。無線回路１１は、ドライブモード設定の情報と終了時間の情報とをサービスセンタに送信する手段として機能する。ドライブモード中、制御回路部１４は、内部のタイマ回路により時間をカウントし、ドライブモードの終了時間の所定時間前に終了時間が間近であることを携帯電話機使用者にアラームで通知するよう制御する。
【００１６】
サービスセンタは、携帯電話機からドライブモード設定の情報を受け取った場合、ドライブモードとなる。サービスセンタはドライブモードの終了時間の情報を受け取ると、現在時間から終了時間までを計数する。ここで、ほかの電話機がドライブモード中の携帯電話機に発呼すると、交換網がそれを検出しサービスセンタを携帯電話機に接続し、サービスセンタから発呼側の電話機に、ドライブモード中であること、およびドライブモードの終了時間をそれぞれ音声によって通知する。
【００１７】
キーマトリックス１７では、ドライブモード中にドライブモードの終了時間を再設定する手段としても機能する。すなわち、最初に設定した終了時間を延ばすことも可能である。この再設定は、ドライブモード中何回でも可能である。再設定された終了時間の情報は無線回路１１からサービスセンタに再送信される。
【００１８】
なお、本発明の実施例において、携帯電話機から設定される終了時間は、実際の時刻情報（何時何分）でも、ドライブモードの継続時間の情報であっても良い。
【００１９】
ドライブモードに入る方法としては、携帯電話機とサービスセンタがドライブモードである旨の情報を共有する方法および携帯電話機のみでドライブモードとなる方法とがある。
【００２０】
本発明での第１の実施の形態では、前者について図２に示すドライブモード設定の動作フロー図を用いて説明する。
【００２１】
まず、キーマトリックス１７の中にあるドライブモードのキーを押す（Ｓ１１）ことにより、ドライブモードの時間設定画面になる。
【００２２】
ここでドライブモードの終了時間を設定するか否かの選択をキーマトリックス１７で行い（Ｓ１２）、時間を設定しない場合は、制御回路部１４の指示により無線回路１１から直ちにサービスセンタにドライブモードが設定されたことを知らせる（Ｓ１５）。この場合、サービスセンタでは、ドライブモードの設定情報を受信後にドライブモードになり、そのドライブモードの解除は、キーマトリックス１７の所定の解除操作により解除情報が携帯電話機からサービスセンタに送信されることで行われる。
【００２３】
キーマトリックス１７においてドライブモードの終了時間を設定する場合は時間の入力（Ｓ１３）の後、設定時間の確認後（Ｓ１４）、携帯電話機使用者が確認キーを押すことにより、サービスセンタにドライブモードの情報と終了時間の情報とが送信される（Ｓ１５）。
【００２４】
サービスセンタは、ドライブモードの設定情報を受信後にドライブモードになり、また終了時間を受け取ることで自動的に時間のカウントダウンを行い、ドライブモードに設定された携帯電話機に着信した発信相手に対してドライブモードである旨とドライブモードが終了するであろう時間（何分後または何時に終了）をアナウンスする。
【００２５】
図３は時間再設定の動作を示した動作フロー図であり、本動作フロー図を用いて、時間の再設定について説明する。
【００２６】
制御回路部１４ではドライブモードの時間設定が終了近くになった状態で、ドライブモードに設定された携帯電話機は設定終了１０分前（Ｓ２１）にアラーム情報を出力し（Ｓ２２）、設定された時間が近づいたことを携帯電話機使用者であるユーザに知らせる。
【００２７】
この時にユーザは終了時間を再設定する（Ｓ２３）ことが可能であり、キーマトリックス１７より終了時間を入力し（Ｓ２６）、確認（Ｓ２７）を押すことによりサービスセンタに時間が再設定されたことを知らせる（Ｓ２８）。
【００２８】
ドライブモードの終了時間を再設定する手段において、ドライブモードを設定する手段を繰り返し行うことにより、一回当り所定時間単位で前記終了時間を延長することも可能である。
【００２９】
ドライブモードの終了時間が再設定された場合、サービスセンタは、ドライブモードに設定されている場合に着信した発信相手に対し、音声で現在ドライブモードであること及び前記ドライブモードの前記終了時間とを再設定の度に知らせる。
【００３０】
この動作を繰り返すことによりドライブモードの延長が出来る。
【００３１】
本発明での第２の実施の形態について、以下に説明する。
【００３２】
本発明での第１の実施の形態では携帯端末とサービスセンタとの間で設定時間を共有する形となっているが、携帯端末のみでドライブモードとする場合も可能であり、携帯端末のみのドライブモードの場合は携帯端末に着呼があった場合に着信音が鳴動せずに携帯端末は自動着信し、ドライブモードである旨を相手にアナウンスする。この時、携帯端末では留守録をする事も可能となる。
【００３３】
又、ドライブモードの設定時間を１０キーだけでなく、ドライブモードのキーを１回クリックする毎に３０分時間を延長することが出来る様にすることにより、ドライブ中でも容易に設定時間の延長が可能となると伴にドライブモードに設定されている間に着信した発信相手に対し、ドライブモード終了時間が変更される度に自動発信し、その旨を音声で通知する。
【００３４】
【発明の効果】
本発明の第１の効果は、ドライブモードに設定された携帯電話機に着信した発信相手にドライブモード終了時間を音声メッセージで知らせることができることである。
【００３５】
本発明の第２の効果は、相手に対して再度電話をかけるまでの時間が分かるので何度も電話をかけ直す必要がなくなることである。
【００３６】
本発明の第３の効果は、ドライブモードの設定終了時間が近づくとアラームで知らせることにより、時間の再設定及びドライブモードの解除忘れが無くなることである。
【００３７】
本発明の第４の効果は、渋滞等によりドライブモード終了時間を変更する度にドライブモードの間に着信した発信相手にドライブモード終了時間を音声メッセージで知らせることができることである。
【図面の簡単な説明】
【図１】本発明における携帯電話の機能の構成概要を示した機能概要図である。
【図２】本発明での第１の実施の形態でのドライブモード及び時間設定の動作例を示した動作フロー図である。
【図３】本発明での第１の実施の形態での時間設定の再設定動作例を示した動作フロー図である。
【符号の説明】
１１        無線回路
１２        チャネルコーデック
１３        音声回路部
１４        制御回路部
１５        メモリ回路
１６        表示回路
１７        キーマトリックス
１８        マイク
１９        レシーバ
２０        スピーカ
【図１】
0003997407.tif 000002
【図２】
0003997407.tif 000003
【図３】
0003997407.tif 000004